(57)【要約】【課題】水性インクを用いてインクジェット記録方法によって記録が行われた記録紙のカールを効果的に抑制する。【解決手段】水性インクを用いてインクジェット記録方法によって記録が行われた記録紙に所定の曲率を付与した状態で乾燥を行う乾燥工程と、平らな面上で乾燥を行った後の記録紙に生じる平面乾燥後曲率と打滴率に応じて、乾燥時に記録紙に付与される実乾燥時曲率を決定し、当該決定された実乾燥時曲率で記録紙の乾燥を制御する制御工程と、を含むことを特徴とするカール抑制方法を提供することにより、前記課題を解決する。【選択図】図２
2010208107.tif 000002
【特許請求の範囲】
【請求項１】
水性インクを用いてインクジェット記録方法によって記録が行われた記録紙に所定の曲率を付与した状態で乾燥を行う乾燥工程と、
平らな面上で乾燥を行った後の記録紙に生じる平面乾燥後曲率と打滴率に応じて、乾燥時に記録紙に付与される実乾燥時曲率を決定し、当該決定された実乾燥時曲率で記録紙の乾燥を制御する制御工程と、
を含むことを特徴とするカール抑制方法。
【請求項２】
請求項１に記載のカール抑制方法において、
記録紙の記録面が内側にカールしている場合の曲率をプラス値とし、記録紙の非記録面が内側にカールしている場合の曲率をマイナス値とするとき、
前記平面乾燥後曲率がプラス値である場合には前記実乾燥時曲率をマイナス値として記録紙の乾燥を行い、
前記平面乾燥後曲率がマイナス値である場合には前記実乾燥時曲率をプラス値として記録紙の乾燥を行うことを特徴とするカール抑制方法。
【請求項３】
請求項２に記載のカール抑制方法において、
前記実乾燥時曲率の絶対値は、１／（４×１０-3×打滴率［％］）×前記平面乾燥後曲率の絶対値と略等しいことを特徴とするカール抑制方法。
【請求項４】
請求項１乃至３のいずれか１項に記載のカール抑制方法において、
複数の媒体支持面のうち、前記実乾燥時曲率又はそれに最も近い曲率を記録紙に付与可能な媒体支持面を選択し、当該選択された媒体支持面上で記録紙の乾燥を行うことを特徴とするカール抑制方法。
【請求項５】
請求項４に記載のカール抑制方法において、
前記媒体支持面は、ドラム状部材の外周面であることを特徴とするカール抑制方法。
【請求項６】
請求項４に記載のカール抑制方法において、
前記媒体支持面は、板状部材の少なくとも片面であることを特徴とするカール抑制方法。
【請求項７】
請求項１乃至６のいずれか１項に記載のカール抑制方法において、
前記平面乾燥後曲率は、水性インク及び記録紙の種類に基づいて特定されることを特徴とするカール抑制方法。
【請求項８】
請求項７に記載のカール抑制方法において、
前記水性インク及び前記記録紙の種類と前記平面乾燥後曲率との対応関係がデータテーブル化されて記憶手段に記憶されており、
前記水性インク及び前記記録紙の種類が入力手段から入力されると、前記記憶手段に記憶される内容が参照され、前記平面乾燥後曲率が特定されることを特徴とするカール抑制方法。
【請求項９】
水性インクを用いてインクジェット記録方法によって記録が行われた記録紙に所定の曲率を付与した状態で乾燥を行う乾燥部と、
平らな面上で乾燥を行った後の記録紙に生じる平面乾燥後曲率と打滴率に応じて、乾燥時に記録紙に付与される実乾燥時曲率を決定し、当該決定された実乾燥時曲率で記録紙の乾燥を行うように前記乾燥部を制御する乾燥制御部と、
を備えたことを特徴とするカール抑制装置。
【請求項１０】
請求項９に記載のカール抑制装置において、
前記乾燥制御部は、記録紙の記録面が内側にカールしている場合の曲率をプラス値とし、記録紙の非記録面が内側にカールしている場合の曲率をマイナス値とするとき、前記平面乾燥後曲率がプラス値である場合には前記実乾燥時曲率をマイナス値とし、前記平面乾燥後曲率がマイナス値である場合には前記実乾燥時曲率をプラス値とすることを特徴とするカール抑制装置。
【請求項１１】
請求項１０に記載のカール抑制装置において、
前記乾燥制御部は、前記実乾燥時曲率の絶対値が、１／（４×１０-3×打滴率［％］）×前記平面乾燥後曲率の絶対値と略等しくなるように決定することを特徴とするカール抑制装置。
【請求項１２】
請求項９乃至１１のいずれか１項に記載のカール抑制装置において、
前記乾燥部は、前記乾燥制御部の制御に基づいて、複数の媒体支持面のうち、前記実乾燥時曲率又はそれに最も近い曲率を記録紙に付与可能な媒体支持面を選択し、当該選択された媒体支持面上で記録紙の乾燥を行うことを特徴とするカール抑制装置。
【請求項１３】
請求項１２に記載のカール抑制装置において、
前記媒体支持面は、ドラム状部材の外周面であることを特徴とするカール抑制装置。
【請求項１４】
請求項１２に記載のカール抑制装置において、
前記媒体支持面は、板状部材の少なくとも片面であることを特徴とするカール抑制装置。
【請求項１５】
請求項９乃至１４のいずれか１項に記載のカール抑制装置において、
水性インク及び記録紙の種類に基づいて前記平面乾燥後曲率を特定する平面乾燥後曲率特定手段を備えたことを特徴とするカール抑制装置。
【請求項１６】
請求項１５に記載のカール抑制装置において、
前記水性インク及び前記記録紙の種類と前記平面乾燥後曲率との対応関係をデータテーブル化して記憶する記憶手段と、
前記水性インク及び前記記録紙の種類を入力する入力手段と、を備え、
平面乾燥後曲率特定手段は、前記入力手段から前記水性インク及び前記記録紙の種類と打滴率が入力されると、前記記憶手段に記憶される内容を参照して前記平面乾燥後曲率を特定することを特徴とするカール抑制装置。
【請求項１７】
水性インクを用いてインクジェット記録方法によって記録紙に記録を行う記録手段と、
請求項９乃至１６のいずれか１項に記載のカール抑制装置と、
を備えたことを特徴とする画像形成装置。
【発明の詳細な説明】
【技術分野】
【０００１】
本発明はカール抑制方法及びカール抑制装置並びに画像形成装置に係り、特に、水性インクを用いてインクジェット記録方法によって記録が行われた記録紙のカールを抑制する技術に関する。
【背景技術】
【０００２】
従来より、画像形成装置として、多数のノズルを具備したインクジェットヘッド（液体吐出ヘッド）を備え、このインジェットヘッドと記録媒体を相対的に移動させながら、ノズルからインクを吐出することにより、記録媒体上に画像を記録するインクジェット記録装置（インクジェットプリンタ）が知られている。
【０００３】
インクジェット記録装置で用いられるインクは、水を主成分とし、染料、顔料等の色材及び水溶性溶剤、少量の添加剤等から成る水性インクが汎用される。水性インクは、一般のオフセット印刷に用いられる油性インクに比べ、非毒性、環境影響度が少ない等が長所として挙げられ、一般家庭、オフィス内で使用するのに好適である。
【０００４】
しかしながら、水を主成分とするため、ホーム、オフィスで多用される普通紙への記録に対しては、水により紙中のセルロースの水素結合が切られ、紙がカールする現象を引き起こし、プリント物（印刷物）としての品位を大きく損ねてしまう欠点がある。
【０００５】
このような水性インク特有の欠点を解決するカール抑制方法としてこれまでに各種技術が提案されている（例えば、特許文献１〜５参照）。
【０００６】
特許文献１には、紙などの基材のカールを低減すべく、画像形成面（像面）に水性インクが付加された基材の反対面に透明水性液又は水性インクを付加して、基材の両面における応力緩和を均一にするようにすることが記載されている。
【０００７】
特許文献２及び３には、記録紙のカール方向（巻き癖方向）と逆方向に加熱ドラムで記録紙に熱を与えることによってデカール処理を行うことが記載されている。
【０００８】
特許文献４には、キャリッジの走行方向に対応して記録紙押え部材が揺動し、常に印字ヘッドの移動方向前方側の記録紙を押えることにより、カールクセのついた記録紙の印字時における浮き上がりを防止して平坦性を確保することが記載されている。
【０００９】
特許文献５には、記録媒体の搬送をガイドするプラテン上に複数の凹凸を設け、少なくともこの凹部に記録媒体をプラテン側へ変位させる紙押え板を配し、記録媒体に波打ち形状を付与することによって、記録媒体に腰の強さを与えてカールを抑制することが記載されている。
【先行技術文献】
【特許文献】
【００１０】
【特許文献１】特開平９−２１６３８９号公報
【特許文献２】特開２００５−２８８９０５号公報
【特許文献３】特開２００７−２６８８０３号公報
【特許文献４】特開平８−２１６４６９号公報
【特許文献５】特開平９−４８１６１号公報
【発明の概要】
【発明が解決しようとする課題】
【００１１】
しかしながら、特許文献１に記載された技術では、基材の両面に水性インク或いは透明水性液を付加するための手段を備えなければならず、しかも基材に付加される液体量も多くなり、全体的にコストアップとなる問題がある。
【００１２】
また、特許文献２及び３に記載された技術では、描画以前の状態でそもそも変形しまっている紙に対する処理であり、描画後の記録紙に生じるカールを抑制することはできない問題がある。
【００１３】
また、特許文献４に記載された技術では、描画時に記録紙の浮き上がりを一次的に抑えることができるものの、描画後の記録紙のカールを抑制することは難しい。
【００１４】
また、特許文献５に記載された技術では、記録紙に凹凸をつけてしまうため、記録紙そのものの形状を変えてしまう問題がある。
【００１５】
このように特許文献１〜５に記載された技術では、描画後の記録紙のカールを効果的に抑制することはできない。
【００１６】
本発明はこのような事情に鑑みてなされたもので、水性インクを用いてインクジェット記録方法によって記録が行われた記録紙のカールを効果的に抑制することのできるカール抑制方法及びカール抑制装置並びに画像形成装置を提供することを目的とする。
【課題を解決するための手段】
【００１７】
前記目的を達成するために、本発明によるカール抑制方法は、水性インクを用いてインクジェット記録方法によって記録が行われた記録紙に所定の曲率を付与した状態で乾燥を行う乾燥工程と、平らな面上で乾燥を行った後の記録紙に生じる平面乾燥後曲率と打滴率に応じて、乾燥時に記録紙に付与される実乾燥時曲率を決定し、当該決定された実乾燥時曲率で記録紙の乾燥を制御する制御工程と、を含むことを特徴とする。
【００１８】
本発明によれば、平面乾燥後曲率と打滴率に応じて決定される実乾燥時曲率が記録紙に付与された状態で乾燥が行われるので、描画後の記録紙のカールを効果的に抑制することができる。
【００１９】
本発明の好ましい態様として、記録紙の記録面が内側にカールしている場合の曲率をプラス値とし、記録紙の非記録面が内側にカールしている場合の曲率をマイナス値とするとき、前記平面乾燥後曲率がプラス値である場合には前記実乾燥時曲率をマイナス値として記録紙の乾燥を行い、前記平面乾燥後曲率がマイナス値である場合には前記実乾燥時曲率をプラス値として記録紙の乾燥を行うことを特徴とする。また、より好ましくは、前記実乾燥時曲率の絶対値は１／（４×１０-3×打滴率［％］）×前記平面乾燥後曲率の絶対値と略等しいことを特徴とする。
【００２０】
本態様によれば、平らな面上で乾燥を行った後の記録紙に生じるカールとは逆向きに略同程度カールした状態で記録紙の乾燥が行われるので、乾燥後の記録紙は略平坦な状態となり、記録紙のカールを効果的に抑制することができる。
【００２１】
本発明の一態様は、複数の媒体支持面のうち、前記実乾燥時曲率又はそれに最も近い曲率を記録紙に付与可能な媒体支持面を選択し、当該選択された媒体支持面上で記録紙の乾燥を行うことを特徴とする。
【００２２】
本態様において、前記媒体支持面は、ドラム状部材の外周面で構成されていてもよいし、板状部材の少なくとも片面で構成されていてもよい。
【００２３】
このように選択された媒体支持面上に記録紙を密着保持させることにより、記録紙に実乾燥時曲率が付与された状態で乾燥を行うことができ、記録紙のカールを効果的に抑制することができる。
【００２４】
また本発明の好ましい態様として、前記平面乾燥後曲率は、水性インク及び記録紙の種類に基づいて特定されることを特徴とする。また、より好ましくは、前記水性インク及び前記記録紙の種類と前記平面乾燥後曲率との対応関係がデータテーブル化されて記憶手段に記憶されており、前記水性インク及び前記記録紙の種類が入力手段から入力されると、前記記憶手段に記憶される内容が参照され、前記平面乾燥後曲率が特定されることを特徴とする。
【００２５】
本態様によれば、水性インク及び記録紙の種類に基づいて平面乾燥後曲率が特定され、その特定された平面乾燥後曲率に応じて実乾燥時曲率が特定される。よって、記録紙のカールを効果的に抑制することができる。
【００２６】
また前記目的を達成するために、本発明によるカール抑制装置は、水性インクを用いてインクジェット記録方法によって記録が行われた記録紙に所定の曲率を付与した状態で乾燥を行う乾燥部と、平らな面上で乾燥を行った後の記録紙に生じる平面乾燥後曲率と打滴率に応じて、乾燥時に記録紙に付与される実乾燥時曲率を決定し、当該決定された実乾燥時曲率で記録紙の乾燥を行うように前記乾燥部を制御する乾燥制御部と、を備えたことを特徴とする。
【００２７】
本発明の好ましい態様として、前記乾燥制御部は、記録紙の記録面が内側にカールしている場合の曲率をプラス値とし、記録紙の非記録面が内側にカールしている場合の曲率をマイナス値とするとき、前記平面乾燥後曲率がプラス値である場合には前記実乾燥時曲率をマイナス値とし、前記平面乾燥後曲率がマイナス値である場合には前記実乾燥時曲率をプラス値とすることを特徴とする。また、より好ましい態様として、前記乾燥制御部は、前記実乾燥時曲率の絶対値が１／（４×１０-3×打滴率［％］）×前記平面乾燥後曲率の絶対値と略等しくなるように決定することを特徴とする。
【００２８】
本発明の一態様は、前記乾燥部は、前記乾燥制御部の制御に基づいて、複数の媒体支持面のうち、前記実乾燥時曲率又はそれに最も近い曲率を記録紙に付与可能な媒体支持面を選択し、当該選択された媒体支持面上で記録紙の乾燥を行うことを特徴とする。
【００２９】
本態様において、前記媒体支持面は、ドラム状部材の外周面で構成されていてもよいし、板状部材の少なくとも片面で構成されていてもよい。
【００３０】
また本発明の好ましい態様として、水性インク及び記録紙の種類に基づいて前記平面乾燥後曲率を特定する平面乾燥後曲率特定手段を備えたことを特徴とする。また、より好ましくは、前記水性インク及び前記記録紙の種類と前記平面乾燥後曲率との対応関係をデータテーブル化して記憶する記憶手段と、前記水性インク及び前記記録紙の種類を入力する入力手段と、を備え、平面乾燥後曲率特定手段は、前記入力手段から前記水性インク及び前記記録紙の種類が入力されると、前記記憶手段に記憶される内容を参照して前記平面乾燥後曲率を特定することを特徴とする。
【００３１】
更に前記目的を達成するために、本発明による画像形成装置は、水性インクを用いてインクジェット記録方法によって記録紙に記録を行う記録手段と、本発明によるカール抑制装置と、を備えたことを特徴とする。
【００３２】
本発明によれば、描画後の記録紙のカールが効果的に抑制されるので、記録品質の更なる向上を期待することができる。
【発明の効果】
【００３３】
本発明によれば、平面乾燥後曲率と打滴率に応じて決定される実乾燥時曲率が記録紙に付与された状態で乾燥が行われるので、描画後の記録紙のカールを効果的に抑制することができる。
【図面の簡単な説明】
【００３４】
【図１ａ】評価実験の結果を示したグラフ
【図１ｂ】評価実験の結果を示したグラフ
【図１ｃ】評価実験の結果を示したグラフ
【図２】本発明に係るカール抑制方法の一例を示した説明図
【図３】本発明に係るカール抑制方法の一例を示した説明図
【図４】本発明に係るカール抑止方法が適用されたカール抑制装置の要部構成を示したブロック図
【図５】カール抑制装置の第１の実施形態を示した概略図
【図６】カール抑制装置の第２の実施形態を示した概略図
【図７】カール抑制装置の第３の実施形態を示した概略図
【図８】カール抑制装置の第４の実施形態を示した概略図
【図９】カール抑制装置の第５の実施形態を示した概略図
【図１０】本発明に係る画像形成装置の一実施形態であるインクジェット記録装置の概略構成図
【図１１】記録紙のカール状態を説明するための補足説明図
【発明を実施するための形態】
【００３５】
以下、添付図面に従って本発明の好ましい実施の形態について詳説する。
【００３６】
〔カール抑制方法〕
本発明者は、鋭意検討した結果、記録紙のカールを決める要因として、描画後乾燥時に付与される記録紙の曲率の寄与が大きいことを突き止めた。そして更に検討を重ねた結果、平らな面上で乾燥させた場合の記録紙に生じる曲率（即ち、カール値）に応じて、実際の乾燥時に付与される記録紙の曲率を変化させることで、記録紙のカールを効果的に低減できることを見出した。
【００３７】
まず、本発明者が行った評価実験の結果を図１ａ、図１ｂ、図１ｃに示す。この評価実験では、水性インクを用いてインクジェット記録方法によって所定の記録紙（坪量104.7gsm）に描画を行った後、乾燥時に記録紙に付与する曲率を複数変化させて記録紙の指触乾燥を行い、１日経過した後の記録紙の曲率を測定したものである。
【００３８】
なお、指触乾燥とは、インクの乾燥状態の一つであって、画像形成面に触れてみて、インクで指先が汚れない状態になったときをいう。また、記録紙が配置される面（以下、「媒体支持面」という。）の曲率を適宜変更し、その面形状に沿って記録紙を密着させることによって、乾燥時に記録紙に付与する曲率を変化させた。また、曲率の測定については、記録紙を所定サイズ（５ｍｍ×５０ｍｍ）に切り出し、自重の影響を受けないように記録紙の面方向が略鉛直方向となるようにした状態で測定を行った。
【００３９】
図１ａにおいて、横軸は乾燥時に記録紙に付与した曲率Ｘ［１／ｍｍ］を表し、縦軸は乾燥後に測定された記録紙の曲率Ｙ［１／ｍｍ］を表している。また、符号１００で示した直線は各測定値から得られた線形近似直線を表しており、その傾きはほぼ１となっている。ここで、図１ａの打滴率は１２００ｄｐｉ＊１２００ｄｐｉ＊２．４ｐｌの描画率を１００％とした場合で、２５０％ 打滴に相当する。
【００４０】
なお、本明細書では、記録紙の記録面（画像形成面）が内側にカールしている場合（即ち、記録面側に曲率半径の中心が存在する場合）の曲率をプラス値とし、非記録面（画像形成面の反対側の面）が内側にカールしている場合（即ち、非記録面側に曲率半径の中心が存在する場合）の曲率をマイナス値とする。
【００４１】
図１ａ（２５０％打滴時）から分かるように、乾燥後の曲率Ｙは乾燥時の曲率Ｘと相関関係があり、具体的には、乾燥時の曲率Ｘが大きくなるに従って乾燥後の曲率Ｙも増加する比例関係にある。
【００４２】
また、乾燥時の曲率Ｘが０である場合には、乾燥後の曲率Ｙは＋０．６程度となっている。これは、描画後の記録紙に対して何の曲率も与えない状態で乾燥させた場合（即ち、平らな面上で記録紙の乾燥を行った場合）、記録紙は記録面が内側を向くようにプラスの曲率＋０．６でカールすることを意味している。そして、この記録紙では乾燥時の曲率Ｘが−０．６となるようにして乾燥を行ったとき、乾燥後の曲率Ｙを０にすることができる。
【００４３】
また、描画時にインクジェットヘッドの打滴率等を変更して記録紙に付与するインク量を変化させると、図１ａに示した線形近似直線１００は、例えば図１ｂ、図１ｃのように傾きが変化する。
【００４４】
例えば、図１ｂに示すように打滴率１００％ の場合には、乾燥時の曲率Ｘが０であるときは乾燥後の曲率Ｙは＋０．５程度であり、線形近似曲線１００′の傾きは ０．４となっている。即ち、描画後の記録紙に対して何の曲率も与えない状態で乾燥させたとき、記録紙はプラスの曲率＋０．５でカールすることから、この記録紙では乾燥時の曲率Ｘが−１．２５となるようにして乾燥を行ったとき、乾燥後の曲率Ｙを０にすることができる。
【００４５】
一方、図１ｃに示すように打滴率０％ (描画無し) の場合には、線形近似曲線１００″の傾きはほぼ０となっており、乾燥時の曲率Ｘを変化させてもカール抑制効果はほとんど得られない。しかしながら、乾燥時の曲率Ｘが０であるときの乾燥後の曲率Ｙは＋０．２程度であり、品位に影響がなく、許容範囲のカールであるため、カールを強制できなくとも問題はない。
【００４６】
以上より、乾燥時の曲率Ｘが０であるときの乾燥後の曲率（以下、「平面乾燥後曲率」という。）Ｙの値（以下、符号Ｐで表す。）と打滴率Ｗ［％］に応じて、実際の乾燥時に記録紙に付与する曲率（以下、「実乾燥時曲率」という。）Ｘの値（以下、符号Ｑで表す。）を決定し、当該決定された実乾燥時曲率Ｑで記録紙の乾燥を行うことによって、記録紙のカールを効果的に低減することができる。
【００４７】
具体的には、図２（ａ）に示すように、平面乾燥後に記録紙１１０に生じる平面乾燥後曲率Ｐがプラス値である場合には、実際の乾燥時に記録紙１１０に付与される実乾燥時曲率Ｑをマイナス値とする。一方、図２（ｂ）に示すように、平面乾燥後曲率Ｐがマイナス値である場合には、実乾燥時曲率Ｑをプラス値とする。また、図２（ｃ）に示すように、平面乾燥後曲率Ｐが０である場合には、実乾燥時曲率Ｑを０とする。
【００４８】
なお、記録紙１１０に付与される実乾燥時曲率Ｑを変化させる方法としては、実際の乾燥時に記録紙１１０を支持する媒体支持面１１２の曲率を変化させる方法が挙げられる。媒体支持面１１２には記録紙１１０の非記録面側が接するように配置されていてもよいし、記録面側が接するように配置されていてもよい。図２では、記録紙１１０の非記録面側が媒体支持面１１２に接するように配置されている（後述する図３も同様である。）。
【００４９】
このように平面乾燥後曲率Ｐと実乾燥時曲率Ｑを異なる符号にすることで、平面乾燥後に記録紙１１０に生じるカールとは逆向きにカールさせた状態で乾燥が行われるようになり、記録紙のカールを効果的に低減することができるようになる。
【００５０】
しかしながら、図２（ａ）や図２（ｂ）に示した場合において、平面乾燥後曲率Ｐ（絶対値）に比べて実乾燥時曲率Ｑ（絶対値）が小さすぎると記録紙１１０のカールの抑制効果が十分に得られない一方で、平面乾燥後曲率Ｐ（絶対値）に比べて実乾燥時曲率Ｑ（絶対値）が大きすぎると平面乾燥後のカールとは逆向きに記録紙１１０が大きくカールしてしまうことが懸念される。
【００５１】
そこで、記録紙１１０のカールをより効果的に抑制する観点から、平面乾燥後曲率Ｐと実乾燥時曲率Ｑを異なる符号にするだけでなく、実乾燥時曲率Ｑ（絶対値）が１／（４×１０-3×打滴率Ｗ)×平面乾燥後曲率Ｐ（絶対値）と略等しくなるようにして記録紙１１０の乾燥を行う態様が好ましく、より好ましくは、実乾燥時曲率Ｑ（絶対値）を１／（４×１０-3×打滴率Ｗ)×平面乾燥後曲率Ｐ（絶対値）と等しくなるようにする。
【００５２】
例えば、図３（ａ）〜（ｃ）に示すように、平面乾燥後曲率Ｐが互いに異なるプラスの曲率Ｃ1，Ｃ2，Ｃ3（但し、０＜Ｃ1＜Ｃ2＜Ｃ3とする。）、且つ、打滴率がそれぞれＷ1，Ｗ2，Ｗ3である場合には、それぞれに対応する実乾燥時曲率Ｑは−１／（４×１０-3×Ｗ1)×Ｃ1，−１／（４×１０-3×Ｗ2)×Ｃ2，−１／（４×１０-3×Ｗ3)×Ｃ3となる。また、図示は省略したが、平面乾燥後曲率Ｐがマイナスの曲率である場合についても同様である。
【００５３】
なお、前述した式(実乾燥時曲率Ｑ（絶対値）≒１／（４×１０-3×打滴率Ｗ）×平面乾燥後曲率（絶対値）)に従うと、打滴率Ｗが０［％］ のときは実乾燥時曲率Ｑが無限大になる。これは、打滴率Ｗが０［％］である場合には、実際の乾燥時に平面(曲率無限大)上で乾燥すればよいことを意味する。
【００５４】
本態様における実乾燥時曲率Ｑ（絶対値）の好ましい範囲としては、平面乾燥後曲率Ｐ（絶対値）に対して±０．２［１／ｍｍ］の範囲である。この範囲が好ましい理由としては、以下に述べるとおりである。
【００５５】
まず１つ目の理由として、紙そのものの繊維のばらつきなどにより、カール値が±0.2［1/mm］程度ばらつく傾向があることによる。本発明者が行った実験によれば、プロセス上のＮ数を１０程度まで増やしても、カール値のばらつきがこれ以上小さくならないことが確認されている。また、描画など一切のプロセス条件無しで，紙のみのカールを調べても0.2 以上のばらつきがあることから、紙を用いる上でこれ以上の精度は実質的に意味がないためである。
【００５６】
次に２つ目の理由として、カール対策における最大の目標値は当然カール値が０である状態（即ち、カールが発生しない状態)であるが、±0.2［1/mm］の振れ幅を考えると、カール値は ±0.2となる。そこで、一般的な Ａ４サイズの原稿の短辺およそ 200[mm] に対して カール値0.2 の状況を考えてみる（図１１参照）。平らに紙を置いた場合，200[mm] に対して左右均等にカールすると、カールした紙が描く孤の長さは 100[mm] となる。また、カール値 0.2 のときの曲率半径は 500[mm] に相当するため、カールが描く紙の孤がつくる角度は、 500 * θ = 100 より、θ=0.2 となる。よって、紙の浮き上がり高さを h [mm] とすると、h = 500(1-cosθ) より、 h = 10 [mm] となる。紙の端が 10mm 浮くと品位が悪く感じられる。また、オフセット印刷物でも通常環境に保管した場合，通常10[mm] 同サイズの紙で通常10[mm] 以下の浮き上がり高さであることを確認した。以上から、紙の浮き上がり高さをＡ４短辺相当で 10 [mm] 以下にするためにも、曲率の幅 (カール対策に許される許容幅) として、0.2 [1/mm] が望ましいとした。
【００５７】
このように平面乾燥後に記録紙１１０に生じるカールとは逆向きに同程度カールさせた状態で記録紙１１０の乾燥を行うことによって、乾燥後の記録紙１１０を略平坦な状態とすることができ、記録紙１１０のカールをより効果的に抑制することが可能となる。
【００５８】
また他の態様として、平面乾燥後に記録紙１１０に生じる平面乾燥後曲率Ｐがプラス値である場合には、実際の乾燥時に記録紙１１０に付与される実乾燥時曲率Ｑをマイナス値として次式−１／（４×１０-3×Ｗ)×Ｐ≦Ｑ＜０を満たすようにする一方で、平面乾燥後曲率Ｐがマイナス値である場合には、実乾燥時曲率Ｑをプラス値として次式０＜Ｑ≦−１／（４×１０-3×Ｗ)×Ｐを満たすようにしてもよい。本態様によれば、実乾燥時曲率Ｑ（絶対値）を平面乾燥後曲率１／（４×１０-3×Ｗ)×Ｐ（絶対値）と略等しくする態様に比べて若干劣るものの、記録紙１１０のカールを抑制する効果を得ることができる。
【００５９】
図４は、本発明に係るカール抑制方法が適用されたカール抑制装置の要部構成を示したブロック図である。同図に示すように、このカール抑制装置１２０は、描画後の記録紙１１０の乾燥（指触乾燥）を行う乾燥部１２２と、この乾燥部１２２を制御する乾燥制御部１２４と、乾燥制御部１２４による制御に必要な各種データをユーザが入力するための入力部１２６と、乾燥制御部１２４による制御に必要な各種データが保存されるメモリ部１２８とを備えている。
【００６０】
乾燥部１２２には、互いに異なる曲率を有する複数の媒体支持面１１２Ａ〜１１２Ｅが設けられており、後述する乾燥制御部１２４（実乾燥時曲率決定手段１３２）の指示に従って複数の媒体支持面１１２Ａ〜１１２Ｅの中から所望の実乾燥時曲率Ｑを記録紙１１０に付与可能な媒体支持面を選択して、その選択された媒体支持面上で記録紙１１０の乾燥を行うように構成されている。なお、各媒体支持面１１２Ａ〜１１２Ｅは曲率が異なる以外は同一構成となっている。
【００６１】
また、記録紙１１０の乾燥方式としては特に限定されるものではないが、例えば、媒体支持面１１２をヒータ等の加熱手段で加熱して記録紙１１０の非記録面側から加熱を行う接触加熱方式や、熱風乾燥機などで記録紙１１０の記録面側から乾燥を行う非接触加熱方式などが好適である。また、接触加熱方式及び非接触加熱方式を組み合わせた態様がより好ましく、記録紙１１０の非記録面側から加熱しつつ、記録面側から温風を吹き付けることによって、描画後の記録紙１１０の乾燥促進を図ることができ、乾燥処理を含む全体プロセスの高速化が可能となる。
【００６２】
乾燥制御部１２４は、平面乾燥後曲率特定手段１３０、及び実乾燥時曲率決定手段１３２を含んで構成される。平面乾燥後曲率特定手段１３０は、後述する入力部１２６から入力されたデータ（使用されるインクや記録紙の種類等）に基づいて平面乾燥後曲率Ｐを特定し、その特定した平面乾燥後曲率Ｐを実乾燥時曲率決定手段１３２に通知する。
【００６３】
実乾燥時曲率決定手段１３２は、平面乾燥後曲率特定手段１３０から通知された平面乾燥後曲率Ｐと打滴率Ｗに基づいて実乾燥時曲率Ｑを決定する。打滴率Ｗは、不図示のプリント制御部において、入力画像データや描画モード等に基づいて算出され、実乾燥時曲率決定手段１３２に通知される。また、後述するように入力部１２６から打滴率Ｗを直接入力するようにしてもよい。
【００６４】
実乾燥時曲率Ｑの決定方法については上述のとおりである。また実乾燥時曲率決定手段１３２は、乾燥部１２２に対し、複数の媒体支持面１１２Ａ〜１１２Ｅの中から前記実乾燥時曲率Ｑを記録紙１１０に付与可能な媒体支持面を選択して、その媒体支持面上で記録紙１１０の乾燥を行うように制御指示を行う。なお、複数の媒体支持面１１２Ａ〜１１２Ｅの中に前記実乾燥時曲率Ｑを記録紙１１０に付与可能な媒体支持面がない場合には、実乾燥時曲率Ｑに最も近い曲率を記録紙１１０に付与可能な媒体支持面を選択するようにしてもよい。
【００６５】
入力部１２６は、平面乾燥後曲率特定手段１３０が平面乾燥後曲率Ｐを特定するのに必要なデータを入力するための手段として機能する。平面乾燥後曲率Ｐを特定するのに必要なデータとしては、例えば、使用されるインク（水性インク）や記録紙の種類等がある。更に、描画条件として打滴率を入力部１２６から入力するようにしてもよい。ユーザが平面乾燥後曲率Ｐを直接測定可能な場合、或いは、あらかじめユーザに提供された対応表などから平面乾燥後曲率Ｐをユーザが特定可能な場合には、ユーザが入力部１２６から平面乾燥後曲率Ｐを直接入力するようにしてもよい。
【００６６】
メモリ部１２８には、入力部１２６から入力されたデータから平面乾燥後曲率Ｐを特定するのに必要な情報が記憶される。例えば、使用される記録紙やインクの種類、描画条件ごとにあらかじめ実験などで求められた平面乾燥後曲率Ｐがデータテーブル化されてメモリ部１２８に記憶される。そして入力部１２６から所定のデータが入力されると、平面乾燥後曲率特定手段１３０はメモリ部１２８を参照することによって、平面乾燥後曲率Ｐが自動的に特定されるようになっている。また他の態様として、平面乾燥後曲率特定手段１３０は、入力部１２６から入力されたデータに基づいて平面乾燥後曲率Ｐを随時算出するようにしてもよい。
【００６７】
かかる構成により、入力部１２６から入力されたデータ（例えば、使用される記録紙やインクの種類等）に応じて、平面乾燥後曲率特定手段１３０で平面乾燥後曲率Ｐの特定が行われ、その特定された平面乾燥後曲率Ｐは実乾燥時曲率決定手段１３２に通知される。続いて、実乾燥時曲率決定手段１３２において、平面乾燥後曲率Ｐと打滴率Ｗに基づいて実乾燥時曲率Ｑが決定され、更に乾燥部１２２に対して、複数の媒体支持面１１２Ａ〜１１２Ｅの中から所望の実乾燥時曲率Ｑを記録紙１１０に付与可能な媒体支持面を選択して、その媒体支持面上で記録紙１１０の乾燥を行うように制御指示が行われる。そして乾燥部１２２において、実乾燥時曲率決定手段１３２によって選択された媒体支持面１１２上で記録紙１１０の乾燥が行われる。
【００６８】
本発明に係るカール抑制方法が適用された装置（カール抑制装置）において、複数の媒体支持面の中から所望の曲率を有する媒体支持面を選択する態様については様々な形態が考えられる。以下、図５〜図９を参照しながら各形態（第１〜第５の実施形態）について説明する。
【００６９】
図５に示した第１の実施形態では、描画部１４０で記録紙１１０に描画が行われた後、紙搬送方向下流側に配置される乾燥部１４２で記録紙１１０の乾燥が行われるようになっている。
【００７０】
描画部１４０には、記録紙１１０を外周面に密着保持して回転搬送させる描画ドラム１４４と、描画ドラム１４４の外周面に対向する位置に配置される複数のインクジェットヘッド１４６Ｋ、１４６Ｃ、１４６Ｍ、１４６Ｙとが設けられており、描画ドラム１４４の外周面に保持された記録紙１１０を回転搬送しつつ、各インクジェットヘッド１４６Ｋ、１４６Ｃ、１４６Ｍ、１４６Ｙからインク吐出を行うことによって記録紙１１０上に所望の画像が記録される。そして、描画後の記録紙１１０は乾燥部１４２に送られる。
【００７１】
乾燥部１４２には、紙搬送方向上流側から順に、第１の乾燥ドラム１４８Ａ、第２の乾燥ドラム１４８Ｂ、第３の乾燥ドラム１４８Ｃが直列的に設けられており、描画部１４０で描画が行われた記録紙１１０は、描画ドラム１４４から第１の乾燥ドラム１４８Ａに受け渡されて回転搬送された後、第２の乾燥ドラム１４８Ｂ、及び第３の乾燥ドラム１４８Ｃに順次受け渡されて回転搬送される。そして、記録紙１１０は、第３の乾燥ドラム１４８Ｃから紙搬送方向下流側の排出部（不図示）などに排出される。
【００７２】
図示は省略したが、各乾燥ドラム１４８Ａ〜１４８Ｃには、外周面（媒体支持面）を加熱する加熱手段（例えばヒータ等）が内蔵されるとともに、外周面に対向する位置に熱風乾燥機が設けられており、各乾燥ドラム１４８Ａ〜１４８Ｃの外周面に保持された記録紙１１０を回転搬送しながら、記録紙１１０を非記録面側から加熱しつつ、記録面側から加熱を行うことが可能となっている。
【００７３】
第１及び第３の乾燥ドラム１４８Ａ、１４８Ｃは、記録紙１１０の記録面が内側に向くように外周面に密着保持した状態で回転搬送するドラムであり、このときの記録紙１１０の曲率はプラス値となっている。本例では、第１及び第３の乾燥ドラム１４８Ａ、１４８Ｃは、同一の曲率で記録紙１１０を保持できるように構成されている。一方、第２の乾燥ドラム１４８Ｂは、記録紙１１０の非記録面が内側を向くように外周面に密着保持した状態で回転搬送するドラムであり、このときの記録紙１１０の曲率はマイナス値となっている。
【００７４】
本例では、これらの乾燥ドラム１４８Ａ〜１４８Ｃの中から所望の実乾燥時曲率Ｑ（又はそれに最も近い曲率）を記録紙１１０に付加可能な乾燥ドラムが選択され、その乾燥ドラム上で記録紙１１０の乾燥が行われる。このとき、非選択の乾燥ドラムでは、記録紙１１０の乾燥は行われず、記録紙１１０の回転搬送だけが行われる。
【００７５】
例えば、図４に示した乾燥制御部１２４によって、実乾燥時曲率決定手段１３２で決定された実乾燥時曲率Ｑがマイナスの曲率である場合には、第２の乾燥ドラム１４８Ｂが選択され、第１の乾燥ドラム１４８Ａでは記録紙１１０の乾燥を行わずに回転搬送して第２の乾燥ドラム１４８Ｂに受け渡される。そして、第２の乾燥ドラム１４８Ｂで回転搬送しながら乾燥が行われた後、第３の乾燥ドラム１４８Ｃに受け渡され後、第３の乾燥ドラム１４８Ｃでは記録紙１１０の乾燥を行わずに回転搬送だけが行われる。
【００７６】
一方、実乾燥時曲率決定手段１３２で決定された実乾燥時曲率Ｑがプラスの曲率である場合には、第１及び第３の乾燥ドラム１４８Ａ、１４８Ｃが選択され、これらの乾燥ドラム１４８Ａ、１４８Ｃ上で記録紙１１０を回転搬送しつつ乾燥が行われ、第２の乾燥ドラム１４８Ｂでは記録紙１１０の乾燥を行わず回転搬送だけが行われる。
【００７７】
なお、図５に示した例では、乾燥部１４２が３つの乾燥ドラム１４８Ａ〜１４８Ｃを備える構成を示したが、乾燥ドラムの数は特に限定されるものではなく、少なくとも複数の乾燥ドラムが設けられていればよい。
【００７８】
また他の態様（第２の実施形態）として、図６に示すように、第１及び第３の乾燥ドラム１４８Ａ、１４８Ｃの外周面（媒体支持面）の曲率を異ならせるようにしてもよい。本態様の場合、実乾燥時曲率決定手段１３２で決定された実乾燥時曲率Ｑがプラスの曲率である場合には、第１及び第３の乾燥ドラム１４８Ａ、１４８Ｃのうち、実乾燥時曲率Ｑ（又はそれに最も近い曲率）を記録紙１１０に付与可能な乾燥ドラムが選択され、その選択された乾燥ドラム上で記録紙１１０を回転搬送しつつ乾燥が行われ、他の乾燥ドラムでは記録紙１１０の乾燥を行わずに回転搬送だけが行われる。
【００７９】
更に他の態様（第３の実施形態）として、乾燥ドラムとして曲率の異なる複数の付け替え用ドラムを用意しておき、実乾燥時曲率決定手段１３２で決定された実乾燥時曲率Ｙに応じて乾燥ドラムを入れ替えるようにしてもよい。乾燥ドラムの入れ替えは自動でもよいし手動でもよい。
【００８０】
例えば、図７に示した例では、乾燥部１４２には、第２の乾燥ドラム１４８Ｂとして曲率の異なる３つの付け替え用ドラム１５０Ａ、１５０Ｂ、１５０Ｃが用意されており、実乾燥時曲率決定手段１３２で決定された実乾燥時曲率Ｑに応じて付け替え用ドラムの入れ替えが行われる。なお、第１の乾燥ドラム１４８Ａと第３の乾燥ドラム１４８Ｃの間隔を調節可能なドラム移動機構が設けられ、第２の乾燥ドラム１４８Ｂの配置スペースを適宜調整できるようになっている。
【００８１】
また図示は省略するが、第１及び第３の乾燥ドラム１４８Ａ、１４８Ｃも同様に、曲率の異なる複数の付け替え用ドラムを用意しておき、実乾燥時曲率Ｑに応じて適宜入れ替える態様が好ましい。
【００８２】
更にまた他の態様（第４の実施形態）では、図８に示すように、記録紙１１０の搬送経路上に複数のドラム部材１５２Ａ、１５２Ｂ、１５２Ｃが設けられ、各ドラム部材１５２Ａ、１５２Ｂ、１５２Ｃの外周面（媒体支持面）の曲率が互いに異なるように構成されている。このとき、各ドラム部材１５２Ａ、１５２Ｂ、１５２Ｃが互いに接していることは必ずしも必要でない。記録紙１１０は、各ドラム部材１５２Ａ、１５２Ｂ、１５２Ｃの全てを通過するように構成されていてもよいし、その一部を通過するように構成されていてもよい。後者の場合には、記録紙１１０の経路を変更するための経路切替機構１５４が設けられていることが好ましい。各ドラム部材１５２Ａ、１５２Ｂ、１５２Ｃのうち、所望の実乾燥時曲率Ｑ（又はそれに最も近い曲率）を記録紙１１０に付与可能なドラム部材が選択され、その選択されたドラム部材上で記録紙１１０の乾燥が行われる。
【００８３】
また別の態様（第５の実施形態）では、図９に示すように、記録紙１１０の搬送経路上に複数の板状部材（プラテン部材）１５６Ａ、１５６Ｂ、１５６Ｃが設けられ、各板状部材１５６Ａ、１５６Ｂ、１５６Ｃの媒体支持面の曲率が互いに異なるように構成されている。図９に示した例では、各板状部材１５６Ａ、１５６Ｂ、１５６Ｃの片面が媒体支持面として構成されているが、両面が媒体支持面となるように構成されていてもよい。また図８に示した例と同様に、記録紙１１０は、各板状部材１５６Ａ、１５６Ｂ、１５６Ｃの全てを通過するように構成されていてもよいし、その一部を通過するように構成されていてもよい。後者の場合には、記録紙１１０の経路を変更する経路切替機構１５８が設けられていることが好ましい。各板状部材１５６Ａ、１５６Ｂ、１５６Ｃのうち、所望の実乾燥時曲率Ｑ（又はそれに最も近い曲率）を記録紙１１０に付与可能な板状部材が選択され、その選択された板状部材上で記録紙１１０の乾燥が行われる。
【００８４】
〔応用例〕
図１０は、本発明に係るカール抑制装置が搭載された記録装置の一例としてインクジェット記録装置の全体構成を示した概略図である。同図に示すように、このインクジェット記録装置１０は、インク（水性インク）と処理液（凝集処理液）を用いて記録媒体２４の記録面に画像を形成する２液凝集方式の記録装置であり、主として、給紙部１２、処理液付与部１４、描画部１６、乾燥部１８、定着部２０、及び排出部２２を備えて構成される。給紙部１２には、枚葉紙である記録媒体２４が積層されており、この記録媒体２４が給紙部１２から処理液付与部１４に送られ、処理液付与部１４で記録面に処理液が付与された後、描画部１６で記録面に色インクが付与される。インクが付与された記録媒体２４は、定着部２０で画像が堅牢化された後、排出部２２によって搬送される。
【００８５】
また、インクジェット記録装置１０は、各部の間に中間搬送部２６、２８、３０を備え、この中間搬送部２６、２８、３０によって記録媒体２４の受け渡しが行われるようになっている。即ち、処理液付与部１４と描画部１６との間には、第１の中間搬送部２６が設けられ、この第１の中間搬送部２６によって処理液付与部１４から描画部１６への記録媒体２４の受け渡しが行われる。同様に、描画部１６と乾燥部１８との間には、第２の中間搬送部２８が設けられ、この第２の中間搬送部２８によって描画部１６から乾燥部１８への記録媒体２４の受け渡しが行われる。さらに、乾燥部１８と定着部２０との間には、第３の中間搬送部３０が設けられ、この第３の中間搬送部３０によって乾燥部１８から定着部２０への記録媒体２４の受け渡しが行われる。
【００８６】
以下、インクジェット記録装置１０の各部（給紙部１２、処理液付与部１４、描画部１６、乾燥部１８、定着部２０、排出部２２）について説明する。
【００８７】
（給紙部）
給紙部１２は、記録媒体２４を処理液付与部１４に供給する機構である。給紙部１２には、給紙トレイ５０が設けられ、この給紙トレイ５０から記録媒体２４が一枚ずつ処理液付与部１４に給紙される。
【００８８】
（処理液付与部）
処理液付与部１４は、記録媒体２４の記録面に処理液を付与する機構である。処理液は、描画部１６で付与されるインク中の色材（顔料）を凝集させる色材凝集剤を含んでおり、この処理液とインクとが接触することによって、インクは色材と溶媒との分離が促進される。
【００８９】
図１０に示すように、処理液付与部１４は、給紙胴５２、処理液ドラム５４、及び処理液塗布装置５６を備えている。給紙胴５２は、給紙部１２の給紙トレイ５０と処理液ドラム５４の間に配置され、モータドライバ（不図示）によってその回転が駆動制御される。給紙部１２から給紙された記録媒体２４は、この給紙胴５２によって受け取られ、処理液ドラム５４に受け渡される。
【００９０】
処理液ドラム５４は、記録媒体２４を保持し、回転搬送させるドラムであり、モータドライバ（不図示）によってその回転が駆動制御される。また、処理液ドラム５４は、その外周面に爪形状の保持手段を備え、この保持手段によって記録媒体２４の先端を保持できるようになっている。記録媒体２４は、保持手段によって先端が保持された状態で、処理液ドラム５４を回転させることによって回転搬送される。その際、記録媒体２４の記録面が外側を向くようにして搬送されるようになっている。なお、処理液ドラム５４は、その外周面に吸引孔を設けるとともに、吸引孔から吸引を行う吸引手段を接続してもよい。これにより記録媒体２４を処理液ドラム５４の周面に密着保持することができる。
【００９１】
処理液ドラム５４の外側には、その周面に対向して処理液塗布装置５６が設けられる。処理液塗布装置５６は、記録媒体２４の記録面に処理液を塗布する装置であり、塗布される処理液が貯留された処理液容器と、この処理液容器の処理液に一部が浸漬されたアニックスローラと、アニックスローラと処理液ドラム５４上の記録媒体２４に圧接されて計量後の処理液を記録媒体２４に転移するゴムローラとで構成される。この処理液塗布装置５６によれば、処理液を計量しながら記録媒体２４に塗布することができる。処理液の膜厚は、描画部１６のインクジェットヘッド７２Ｍ，７２Ｋ，７２Ｃ，７２Ｙから打滴されるインクの液滴径より十分に小さいことが望ましい。例えば、インクの打滴量が２ｐｌのときには、液滴の平均直径は１５．６μｍである。このとき、処理液の膜厚が大きい場合には、インクドットが記録媒体２４の表面に接触することなく、処理液内で浮遊する。そこで、インクの打滴量が２ｐｌのときに着弾ドット径を３０μｍ以上得るためには、処理液の膜厚を３μｍ以下にすることが望ましい。
【００９２】
なお、本実施形態では、記録媒体２４の記録面に処理液を付与する方式として、ローラによる塗布方式を適用した構成を例示したが、これに限定されず、例えば、スプレー方式、インクジェット方式などの各種方式を適用することも可能である。
【００９３】
（描画部）
描画部１６は、インクジェット方式でインクを打滴することによって入力画像に対応した画像を描画する機構であり、描画ドラム７０、用紙抑えローラ７４、及びインクジェットヘッド７２Ｍ，７２Ｋ，７２Ｃ，７２Ｙを備えている。インクジェットヘッド７２Ｍ，７２Ｋ，７２Ｃ，７２Ｙはそれぞれ、マゼンダ（Ｍ）、黒（Ｋ）、シアン（Ｃ）、イエロー（Ｙ）の４色のインクに対応しており、描画ドラム７０の回転方向に上流側から順に配置される。
【００９４】
描画ドラム７０は、その外周面に記録媒体２４を保持し、回転搬送させるドラムであり、モータドライバ（不図示）によってその回転が駆動制御される。また、描画ドラム７０は、その外周面に爪形状の保持手段を備え、この保持手段によって記録媒体２４の先端を保持できるようになっている。記録媒体２４は、保持手段によって先端が保持された状態で、描画ドラム７０を回転させることによって回転搬送される。その際、記録媒体２４の記録面が外側を向くようにして搬送され、この記録面にインクジェットヘッド７２Ｍ，７２Ｃ，７２Ｙ，７２Ｋからインクが付与される。
【００９５】
用紙抑えローラ７４は、描画ドラム７０の外周面に記録媒体２４を密着させるためのガイド部材であり、描画ドラム７０の外周面に対向する位置に配置されている。具体的には、中間搬送部２６からの記録媒体２４の受渡位置よりも記録媒体２４の搬送方向（描画ドラム７０の回転方向）下流側であり、且つ、インクジェットヘッド７２Ｍ，７２Ｋ，７２Ｃ，７２Ｙよりも記録媒体２４の搬送方向上流側に配置される。
【００９６】
中間搬送部２６から描画ドラム７０に受け渡された記録媒体２４は、上述の保持手段によって先端が保持された状態で回転搬送される際、用紙抑えローラ７４によって押圧され、描画ドラム７０の外周面に密着されられる。このようにして、記録媒体２４を描画ドラム７０の外周面に密着させた後に、描画ドラム７０の外周面から浮き上がりのない状態で、インクジェットヘッド７２Ｍ，７２Ｋ，７２Ｃ，７２Ｙの直下の印字領域に送られる。
【００９７】
インクジェットヘッド７２Ｍ，７２Ｋ，７２Ｃ，７２Ｙはそれぞれ、記録媒体２４における画像形成領域の最大幅に対応する長さを有するフルライン型のインクジェット方式の記録ヘッド（インクジェットヘッド）であり、そのインク吐出面には、画像形成領域の全幅にわたってインク吐出用のノズルが複数配列されたノズル列が形成されている。各インクジェットヘッド７２Ｍ，７２Ｋ，７２Ｃ，７２Ｙは、記録媒体２４の搬送方向（描画ドラム７０の回転方向）と直交する方向に延在するように固定設置される。
【００９８】
上記の如く構成された各インクジェットヘッド７２Ｍ，７２Ｋ，７２Ｃ，７２Ｙから、対応する色インクの液滴が、描画ドラム７０の外周面に保持された記録媒体２４の記録面に向かって吐出される。これにより、処理液付与部１４で予め記録面に付与された処理液にインクが接触し、インク中に分散する色材（顔料）が凝集され、色材凝集体が形成される。これにより、記録媒体２４上での色材流れなどが防止され、記録媒体２４の記録面に画像が形成される。その際、描画部１６の描画ドラム７０は、処理液付与部１４の処理液ドラム５４に対して構造上分離しているので、インクジェットヘッド７２Ｍ，７２Ｋ，７２Ｃ，７２Ｙに処理液が付着することがなく、インクの不吐出要因を低減することができる。
【００９９】
なお、本例では、ＣＭＹＫの標準色（４色）の構成を例示したが、インク色や色数の組み合わせについては本実施形態に限定されず、必要に応じて淡インク、濃インク、特別色インクを追加してもよい。例えば、ライトシアン、ライトマゼンタなどのライト系インクを吐出するインクジェットヘッドを追加する構成も可能であり、各色ヘッドの配置順序も特に限定はない。
【０１００】
（乾燥部）
乾燥部１８は、色材凝集作用により分離された溶媒に含まれる水分を乾燥させる機構であり、図１０に示すように、乾燥ドラム７６、及び溶媒乾燥装置７８を備えている。また、後述するように、乾燥ドラム７６の前後に配置される第２及び第３の中間搬送部２８、３０も乾燥部１８の一部として機能する。
【０１０１】
乾燥ドラム７６は、その外周面に記録媒体２４を保持して回転搬送させるドラムであり、モータドライバ（不図示）によってその回転が駆動制御される。また、乾燥ドラム７６は、その外周面に爪形状の保持手段を備え、この保持手段によって記録媒体２４の先端を保持できるようになっている。記録媒体２４は、保持手段によって先端が保持された状態で、乾燥ドラム７６を回転させることによって回転搬送される。その際、記録媒体２４の記録面が外側を向くようにして搬送され、この記録面に対して溶媒乾燥装置７８による乾燥処理が行われる。なお、乾燥ドラム７６は、その外周面に吸引孔を設けるとともに、吸引孔から吸引を行う吸引手段を接続してもよい。これにより記録媒体２４を乾燥ドラム７６の周面に密着保持することができる。
【０１０２】
溶媒乾燥装置７８は、乾燥ドラム７６の外周面に対向する位置に配置され、第１〜第４のハロゲンヒータ８０Ａ〜８０Ｄと、各ハロゲンヒータ８０Ａ〜８０Ｄの間にそれぞれ配置された第１〜第３の温風噴出しノズル８２Ａ〜８２Ｃとで構成される。即ち、乾燥ドラム７６の外周面に対向する位置には、乾燥ドラム７６の回転方向（図１０において反時計回り方向）の上流側から順に、第１のハロゲンヒータ８０Ａ、第１の温風噴出しノズル８２Ａ、第２のハロゲンヒータ８０Ｂ、第２の温風噴出しノズル８２Ｂ、第３のハロゲンヒータ８０Ｃ、第３の温風噴出しノズル８２Ｃ、及び第４のハロゲンヒータ８０Ｄが設けられる。
【０１０３】
各温風噴出しノズル８２Ａ〜８２Ｃは、所定の温度（たとえば５０℃〜７０℃）に制御された温風を一定の風量（１２ｍ３／分）で記録媒体２４に向けて吹き付けるように構成され、各ハロゲンヒータ８０Ａ〜８０Ｄはそれぞれ所定の温度（たとえば１８０℃）に制御される。
【０１０４】
このように構成される溶媒乾燥装置７８によって、乾燥ドラム７６に保持された記録媒体２４の記録面のインク溶媒に含まれる水分が蒸発され、乾燥処理が行われる。その際、乾燥部１８の乾燥ドラム７６は、描画部１６の描画ドラム７０に対して構造上分離しているので、インクジェットヘッド７２Ｍ，７２Ｋ，７２Ｃ，７２Ｙにおいて、熱乾燥によるヘッドメニスカス部の乾燥によるインクの不吐出を低減することができる。また、乾燥部１８の温度設定に自由度があり、最適な乾燥温度を設定することができる。
【０１０５】
また、乾燥ドラム７６の前後には、第２及び第３の中間搬送部２８、３０として、所定の曲率の外周面（媒体支持面）を有するドラム部材３２、３４が設けられている。各ドラム部材３２、３４にはヒータ等の加熱手段が内蔵されており、描画部１６によって画像形成が行われた後の記録媒体２４を前段のドラムから後段のドラムに受け渡す際に、記録媒体２４の乾燥が行われるようになっている。
【０１０６】
即ち、第１のドラム部材３２、乾燥ドラム７６、及び第２のドラム部材３４は、本発明に係るカール抑制装置の構成要素となっており、これらのうち、平面乾燥後曲率Ｐと打滴率Ｗに応じて決定された実乾燥時曲率Ｑ（又はそれに最も近い曲率）を記録媒体２４に付与可能なドラム上で記録媒体２４の乾燥が選択的に行われるようになっており、記録媒体２４のカールを効果的に抑制することができる。
【０１０７】
（定着部）
定着部２０は、定着ドラム８４、ハロゲンヒータ８６、定着ローラ８８、及びインラインセンサ９０で構成される。ハロゲンヒータ８６、定着ローラ８８、及びインラインセンサ９０は、定着ドラム８４の外周面に対向する位置に配置され、定着ドラム８４の回転方向（図１０において反時計回り方向）の上流側から順に配置される。
【０１０８】
定着ドラム８４は、その外周面に記録媒体２４を保持して回転搬送させるドラムであり、モータドライバ（不図示）によってその回転が駆動制御される。また、定着ドラム８４は、その外周面に爪形状の保持手段を備え、この保持手段によって記録媒体２４の先端を保持できるようになっている。記録媒体２４は、保持手段によって先端が保持された状態で定着ドラム８４を回転させることによって、回転搬送される。その際、記録媒体２４の記録面が外側を向くようにして搬送され、この記録面に対して、ハロゲンヒータ８６による予備加熱と、定着ローラ８８による定着処理と、インラインセンサ９０による検査が行われる。なお、上記の定着ドラム８４は、その外周面に吸引孔を設けるとともに、吸引孔から吸引を行う吸引手段を接続してもよい。これにより記録媒体２４を定着ドラム８４の周面に密着保持することができる。
【０１０９】
ハロゲンヒータ８６は、所定の温度（たとえば１８０℃）に制御される。これにより、記録媒体２４の予備加熱が行われる。
【０１１０】
定着ローラ８８は、乾燥させたインクを加熱加圧することによってインク中の自己分散性ポリマー微粒子を溶着し、インクを被膜化させるためのローラ部材であり、記録媒体２４を加熱加圧するように構成される。具体的には、定着ローラ８８は、定着ドラム８４に対して圧接するように配置されており、定着ドラム８４との間でニップローラを構成するようになっている。これにより、記録媒体２４は、定着ローラ８８と定着ドラム８４との間に挟まれ、所定のニップ圧（たとえば０．１５ＭＰａ）でニップされ、定着処理が行われる。  
【０１１１】
また、定着ローラ８８は、熱伝導性の良いアルミなどの金属パイプ内にハロゲンランプを組み込んだ加熱ローラによって構成され、所定の温度（たとえば６０〜８０℃）に制御される。この加熱ローラで記録媒体２４を加熱することによって、インクに含まれるラテックスのＴｇ温度（ガラス転移点温度）以上の熱エネルギーが付与され、ラテックス粒子が溶融される。これにより、記録媒体２４の凹凸に押し込み定着が行なわれるとともに、画像表面の凹凸がレベリングされ、光沢性が得られる。
【０１１２】
なお、上記の実施形態では、定着ローラ８８を１つだけ設けた構成となっているが、画像層厚みやラテックス粒子のＴｇ特性に応じて、複数段設けた構成でもよい。また、定着ドラム８４の表面を所定の温度（たとえば６０℃）に制御するようにしてもよい。
【０１１３】
一方、インラインセンサ９０は、記録媒体２４に定着された画像について、チェックパターンや水分量、表面温度、光沢度などを計測するための計測手段であり、ＣＣＤラインセンサなどが適用される。
【０１１４】
上記の如く構成された定着部２０によれば、乾燥部１８で形成された薄層の画像層内のラテックス粒子が定着ローラ８８によって加熱加圧されて溶融されるので、記録媒体２４に固定定着させることができる。また、定着部２０によれば、定着ドラム８４が他のドラムに対して構造上分離されているので、定着部２０の温度設定を、描画部１６や乾燥部１８と分離して自由に設定することができる。
【０１１５】
（排出部）
図１０に示すように、定着部２０に続いて排出部２２が設けられている。排出部２２は、排出トレイ９２を備えており、この排出トレイ９２と定着部２０の定着ドラム８４との間に、これらに対接するように渡し胴９４、搬送ベルト９６、張架ローラ９８が設けられている。記録媒体２４は、渡し胴９４により搬送ベルト９６に送られ、排出トレイ９２に排出される。
【０１１６】
以上、本発明のカール抑制方法及びカール抑制装置並びに画像形成装置について詳細に説明したが、本発明は、以上の例には限定されず、本発明の要旨を逸脱しない範囲において、各種の改良や変形を行ってもよいのはもちろんである。
【符号の説明】
【０１１７】
１０…インクジェット記録装置、１２…給紙部、１４…処理液付与部、１６…描画部、１８…乾燥部、２０…定着部、２２…排出部、２４…記録媒体、２６，２８，３０…中間搬送部、５４…処理液ドラム、７０…描画ドラム、７２Ｍ，７２Ｋ，７２Ｃ，７２Ｙ…インクジェットヘッド、７６…乾燥ドラム、８４…定着ドラム、１１０…記録紙、１１２…媒体支持面、１２０…カール抑制装置、１２２…乾燥部、１２４…乾燥制御部、１２６…入力部、１２８…メモリ部、１３０…平面乾燥後曲率特定手段、１３２…実乾燥時曲率決定手段、１４０…描画部、１４２…乾燥部、１４８…乾燥ドラム
【図１ａ】
2010208107.tif 000003
【図１ｂ】
2010208107.tif 000004
【図１ｃ】
2010208107.tif 000005
【図２】
2010208107.tif 000006
【図３】
2010208107.tif 000007
【図４】
2010208107.tif 000008
【図５】
2010208107.tif 000009
【図６】
2010208107.tif 000010
【図７】
2010208107.tif 000011
【図８】
2010208107.tif 000012
【図９】
2010208107.tif 000013
【図１０】
2010208107.tif 000014
【図１１】
2010208107.tif 000015